(57)【要約】【課題】飲料用の缶容器などを複数本まとめて包装袋で包装して包装構成体とし、包装構成体を積み重ねて陳列する容器陳列構造体であって、セッティングにおける包装構成体を積み重ねる作業を容易かつ確実に行うことができ、積み重ねた後に包装構成体が横方向にずれないようにして崩れることを防止できるものを提供する。【解決手段】容器陳列構造体(D)は、合成樹脂製のフィルムまたはシートで形成された包装用袋(B)に所要数の缶容器(C)が収容されて包装構成体(A)が形成されており、包装用袋(B)の袋本体(1)の開口縁部(12)は収容された缶容器(C)より高くなるようにしてあり、包装構成体(A)は上下方向に積み重ねられ、上側の包装構成体(A)の下部は下側の包装構成体(A)の袋本体(1)の開口部(11)に入れられており、袋本体(1)の開口縁部(12)には開口部(11)が拡がりやすいようにする切除部(13)が設けられている。【選択図】図７
2008001412.tif 000002
【特許請求の範囲】
【請求項１】
合成樹脂製のフィルムまたはシートで形成された包装用袋(B,1)に所要数の容器(C)が本質的にちょうど収まるように収容されて包装構成体(A)が形成されており、
包装用袋(B,1)の開口縁部(12)は収容された容器(C)より高くなるようにしてあり、
包装構成体(A)は少なくとも上下方向に積み重ねられ、
上側の包装構成体(A)の下部は下側の包装構成体(A)の包装用袋(B,1)の上部開口部(11)に入れられており、
包装用袋(B,1)の開口縁部(12)には開口部(11)が拡がりやすいように助ける手段(13)が設けられている、
容器陳列構造体。
【請求項２】
包装用袋(B,1)の開口縁部(12)が変形しにくいように補強され保形性を有している、
請求項１記載の容器陳列構造体。
【請求項３】
開口部(11)が拡がりやすいように助ける手段(13)が切り込みまたは切除部であって、その先端または角部がフィルムまたはシートの溶着部(101)に位置している、
請求項１または２記載の容器陳列構造体。
【請求項４】
容器陳列構造体(A)に使用する包装用袋(B,1)であって、
合成樹脂製のフィルムまたはシートで形成された包装用袋(B)に所要数の容器(C)が本質的にちょうど収まるようになっており、
包装用袋(B,1)の開口縁部(12)は収容された容器(C)より高くなるようにしてあり、
包装用袋(B,1)の開口縁部(12)には、開口部(11)が拡がりやすいように助ける手段(13)が設けられている、
容器陳列構造体に使用する包装用袋。
【請求項５】
包装用袋(B,1)の開口縁部(12)が変形しにくいように補強され保形性を有している、
請求項４記載の容器陳列構造体に使用する包装用袋。
【請求項６】
開口部(11)が拡がりやすいように助ける手段(13)が切り込みまたは切除部であって、その先端または角部がフィルムまたはシートの溶着部(101)に位置している、
請求項４または５記載の容器陳列構造体に使用する包装用袋。
【発明の詳細な説明】
【技術分野】
【０００１】
本発明は容器陳列構造体及びそれに使用する包装用袋に関するものである。更に詳しくは、例えば飲料用の缶容器や瓶容器あるいはペットボトルなどを複数本まとめて包装袋で包装し、さらにその包装構成体を積み重ねて陳列する、容器陳列構造体及びそれに使用する包装用袋であって、陳列する際に包装構成体を積み重ねる作業を容易に、かつ確実に行うことができ、積み重ねた後に包装構成体が横方向にずれないようにして容器陳列構造体が崩れることを防止できるものに関する。
【背景技術】
【０００２】
例えば缶ビールの販売形態としては、２４本入の箱容器を積み上げる形態や、持ち運びがしやすく金額的にも買いやすい６本入の紙包装構成体を積み上げる形態などがある。さらに、６本入での販売形態としては、消費者がより買いやすいように、把手を備え合成樹脂シートでつくられた包装用袋に缶を収容し、これを積み重ねて陳列する形態もある。
このように、包装用袋に缶を収容し、その包装構成体を積み重ねて陳列する形態で使用されている包装用袋としては、例えば特許文献１記載の「提げ手付き袋体」がある。
【０００３】
この袋体は、袋本体を膨らませたときの大きさが、例えば６缶が内部でそれ程ガタつくことなく、ちょうど収まるように形成されている。そして、袋本体の開口側の縁部は、収容される容器の高さと同じくらいの高さに形成されている。また、縁部は本体の他の部分と同じように一枚の合成樹脂製のフィルムまたはシートで形成され、特に補強もされていない。なお、この袋体は、提げ手の取り付け基部が破れにくいように補強されている点に特徴を有しているものである。
【０００４】
【特許文献１】特開２００１−３０１７７１
【発明の開示】
【発明が解決しようとする課題】
【０００５】
しかしながら、特許文献１記載の袋体には、比較的重い飲料缶などを収容しても袋が破れにくいという使い良さはあるものの、次のような課題があることもわかってきた。
まず、例えば特許文献１の図５に示されているペットボトルより高さの低い缶容器を上記袋体に収容する場合において、缶容器より高くなっている袋体の開口縁部の開口部の大きさは袋体の胴部の大きさと同じである。
【０００６】
このため、袋体に缶容器を収容した包装構成体を積み重ねて陳列する場合、袋体の開口部の大きさに余裕がないので、上部側の包装構成体底部を下部側の包装構成体の袋体開口部に内入れする作業が容易にはできない。さらに、開口縁部は上記のように特に補強されているわけでなく、柔らかく保形性が悪いので、この作業をなおさら困難にしている。
【０００７】
（本発明の目的）
本発明の目的は、例えば飲料用の缶容器や瓶容器あるいはペットボトルなどを複数本まとめて包装袋で包装して包装構成体とし、さらにその包装構成体を積み重ねて陳列する容器陳列構造体及びそれに使用する包装用袋であって、陳列するために容器陳列構造体をセッティングする際に、包装構成体を積み重ねる作業を容易に、かつ確実に行うことができるものを提供することである。また、包装構成体を積み重ねた後に、上側の包装構成体が横方向にずれないようにして容器陳列構造体が崩れることを防止できるものを提供することである。
【課題を解決するための手段】
【０００８】
上記課題を解決するために本発明が講じた手段は次のとおりである。
（１）本発明は、合成樹脂製のフィルムまたはシートで形成された包装用袋に所要数の容器が本質的にちょうど収まるように収容されて包装構成体が形成されており、包装用袋の開口縁部は収容された容器より高くなるようにしてあり、包装構成体は少なくとも上下方向に積み重ねられ、上側の包装構成体の下部は下側の包装構成体の包装用袋の上部開口部に入れられており、包装用袋の開口縁部には開口部が拡がりやすいように助ける手段が設けられている、容器陳列構造体である。
【０００９】
（２）本発明に係る容器陳列構造体は、包装用袋の開口縁部が変形しにくいように補強され保形性を有しているのがより好ましい。
【００１０】
（３）本発明に係る容器陳列構造体は、開口部が拡がりやすいように助ける手段が切り込みまたは切除部であって、その先端または角部がフィルムまたはシートの溶着部に位置しているのがより好ましい。
【００１１】
（４）本発明は、容器陳列構造体に使用する包装用袋であって、合成樹脂製のフィルムまたはシートで形成された包装用袋に所要数の容器が本質的にちょうど収まるようになっており、包装用袋の開口縁部は収容された容器より高くなるようにしてあり、包装用袋の開口縁部には、開口部が拡がりやすいように助ける手段が設けられている、容器陳列構造体に使用する包装用袋である。
【００１２】
（５）本発明に係る包装用袋は、包装用袋の開口縁部が変形しにくいように補強され保形性を有しているのがより好ましい。
【００１３】
（６）本発明に係る包装用袋は、開口部が拡がりやすいように助ける手段が切り込みまたは切除部であって、その先端または角部がフィルムまたはシートの溶着部に位置しているのがより好ましい。
【００１４】
包装用袋の開口部が拡がりやすいように助ける手段としては、例えば切り込みまたは切除部があげられるが、これらに限定するものではなく、例えば開口縁部の素材を伸びやすいものにしたり、細い部分を形成して伸びやすくするなどの各手段も採用できる。なお、切り込みまたは切除部、細い部分を設ける場合、開口部が拡がりやすいように助けることができれば、その設ける位置や数は特に限定しない。
【００１５】
切り込みの場合は、例えば開口縁から切り込まれた構造もあるし、開口縁が一部つながるように残して途中から切り込まれた構造がある。切り込みは、例えば直線的に設ける構造もあるし、曲線的または折れ線的に設ける構造もある。なお、開口縁が一部つながるように残して途中から切り込まれた構造では、つながっている部分が引っ張り力に対し弱く伸びやすくなり、包装用袋の開口部が拡がりやすいように助ける手段と成り得る。
【００１６】
また、切除部の場合は、例えば開口縁から切除された構造もあるし、開口縁が一部つながるように残して途中から切除された構造がある。切除部の形状は、特に限定するものではなく、開口縁を開放するものでは、例えばＶ字形、Ｕ字形などがある。さらに、開口縁を開放せずに一部が残ってつながっているものでは、例えば円形、楕円形、または三角形、四角形などの多角形がある。なお、この開口縁を開放せずに一部を残す構造では、つながっている部分が引っ張り力に対し弱く伸びやすくなり、包装用袋の開口部が拡がりやすいように助ける手段と成り得る。
【００１７】
（作用）
本発明に係る容器陳列構造体及びそれに使用する包装用袋の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１８】
販売店で缶ビールの販売を行う際の容器陳列構造体(D)のセッティング（陳列）は次のように行われる。
まず、包装用袋(B,1)に所要数（例えば６本、４本、２本など）の缶ビールの缶容器(C)を収容する。缶容器(C)は、例えば角底袋状になった包装用袋(B,1)の中にほぼ隙間なく整列して本質的にちょうど収まる。包装用袋(B,1)の内底部には、缶容器(C)がより安定するように、厚紙やプラスチックシートなどでつくられた底板(3)を敷いてもよい。
【００１９】
包装用袋(B,1)に缶容器(C)が収容された状態では、包装用袋(B,1)の開口縁部(12)は、縁辺部が開口部(11)の全周にわたり缶容器(C)の上端よりさらに高くなって立ち上がっている。これにより、缶容器(C)の上面より上方には、包装用袋(B,1)の上部の開口縁部(12)で囲まれた収容空間(19)が形成される。
【００２０】
上記のように構成された包装構成体(A)が多数つくられる。そして、これら包装構成体(A)を縦横及び上下方向に配して容器陳列構造体(D)をセッティングする。すなわち、縦横方向へは、各包装構成体(A)が密に整列するように配置する。上下方向へは、各包装構成体(A)を積み重ねるようにして配置する（スタッキング(stacking)と称されることがある）。
【００２１】
包装構成体(A)を積み重ねる際には、上側となる包装構成体(A)の下部は、下側となる包装構成体(A)の包装用袋(B,1)の上部の開口部(11)に入れられて、缶容器(C)の上面より上方の包装用袋(B,1)の開口縁部(12)で囲まれた収容空間(19)に収まる。この作業を包装構成体(A)が縦横及び上下方向に所要の数だけ多層または多重になるよう行うことにより容器陳列構造体(D)が構成される。
【００２２】
上記作業を行うときには、包装用袋(B,1)の開口縁部(12)は、例えば切除部(13)などの開口部(11)が拡がりやすいように助ける手段によって容易に拡げることができるので、上側となる包装構成体(A)の下部を下側となる包装構成体(A)の包装用袋(B,1)の上部の開口部(11)に入れる作業を容易に、かつ確実に行うことができる。
【００２３】
また、包装用袋(B,1)の開口縁部(12)が変形しにくいように補強され保形性を有しているものは、例えばこの開口縁部(12)の剛性が高くなって開口縁部(12)自体がいわゆる自立性を有するようになり、変形して開口部(11)が狭くなってしまうことが防止できるので、上記積み重ねる作業をさらに容易に、かつ確実に行うことができる。また、後述するように積み重ねられたときに上側の包装構成体(A)の下部が横にずれにくいようにするストッパーとしての機能性も向上する。
【００２４】
上側となる包装構成体(A)の下部が下側となる包装構成体(A)の包装用袋(B,1)の上部の開口部(11)に入って収容空間(19)に収まると、収容空間(19)を囲む包装用袋(B,1)の開口縁部(12)がストッパーとしての機能性を発揮し、上側の包装構成体(A)が動いたり横にずれたりしにくく安定しており、これによって容器陳列構造体(D)が崩れることを防止することができる。
【００２５】
なお、包装用袋(B,1)の内底部に底板(3)を敷かない場合は、包装用袋(B,1)の底部のフィルムまたはシートを間に挟んで缶容器(C)同士が積み重なることになり、もともと缶容器(C)はその上部と下部が嵌合できるようになっているので、底板(3)を敷く場合と比較して容器陳列構造体(D)としてはより安定する。
【００２６】
さらに、開口部(11)が拡がりやすいように助ける手段が切り込みまたは切除部(13)であって、その先端または角部がフィルムまたはシートの溶着部(101)に位置しているものは、溶着部(101)自体が補強部となっているので、開口縁部(12)に対して仮に切り込みまたは切除部(13)を引き裂く方向へ力が作用したときに、切り込みまたは切除部(13)の先端または角部を起点とする破れ（ハシリと称されることがある）が生じることを防止できる。
【発明の効果】
【００２７】
（ａ）本発明によれば、例えば飲料用の缶容器や瓶容器あるいはペットボトルなどを複数本まとめて包装袋で包装して包装構成体とし、さらにその包装構成体を積み重ねて陳列する容器陳列構造体をセッティングする際に、包装用袋の開口部を拡げることができるので、包装構成体を積み重ねる作業を容易に、かつ確実に行うことができる。また、包装構成体を積み重ねた後、下側の包装用袋の開口縁部がストッパーとなって上部側の包装構成体が横方向にずれないので、容器陳列構造体が崩れることを防止できる。
【００２８】
（ｂ）包装用袋の開口縁部が変形しにくいように補強され保形性を有しているものは、例えばこの開口縁部の剛性や強度が上がって開口縁部自体がいわゆる自立性を有するようになり、変形して開口部が狭くなってしまうことがなく、開口部を拡げる操作もしやすい。これによって、上記積み重ねる作業をさらに容易に、かつ確実に行うことができる。さらには、上側の包装構成体の下部が下側の包装構成体の上部で横にずれにくいようにして容器陳列構造体が崩れることを防止するストッパーとしての機能性も向上する。
【００２９】
（ｃ）包装用袋の開口部が拡がりやすいように助ける手段が切り込みまたは切除部であって、その先端または角部がフィルムまたはシートの溶着部に位置しているものは、溶着部自体が補強部となっているので、開口縁部に対して仮に切り込みまたは切除部を引き裂く方向へ力が作用したときに、切り込みまたは切除部の先端または角部を起点とする破れが生じることを防止できる。
【発明を実施するための最良の形態】
【００３０】
本発明を図に示した実施例に基づき詳細に説明する。
【実施例】
【００３１】
図１は本発明に係る包装用袋の一実施の形態を示し折り畳んだ状態の正面図、
図２は図１に示す包装用袋の側面図、
図３は図１に示す包装用袋の縦断面図、
図４は袋本体の開口縁部の拡大縦断面図、
図５は本発明に係る包装用袋の一実施の形態を示し缶容器を収容した状態の斜視説明図、
図６は包装用袋に缶容器を収容した状態の側面視説明図である。
【００３２】
本実施の形態に係る包装用袋Ｂは、後述する容器陳列構造体Ｄにおいて、缶容器を収容して包装する袋として使用されるものである。
包装用袋Ｂは、袋本体１と一対の把手２、２ａにより構成されている。袋本体１は、チューブ状に形成された柔軟性を有し透明な熱可塑性の合成樹脂製シートを、折り曲げ、切断、溶着などで加工して形成されている。また、把手２、２ａは、同じく合成樹脂製のシートで形成され、袋本体１の開口縁部１２に溶着して取り付けられている。
【００３３】
袋本体１の寸法は、袋を膨らませた状態（使用状態）で、縦が約１３０ｍｍ、横が約１９０ｍｍ、高さが約１６０ｍｍであり、缶ビールの缶容器Ｃが６本ちょうど収まる大きさである。また、収容した各缶容器Ｃの上方には、袋本体１の開口部１１の開口縁部１２で囲まれた高さ（深さ）約３０ｍｍの収容空間１９が形成される大きさである。なお、袋本体１の大きさは、収容する物品の大きさによって適宜設定されるものであり、上記した寸法に限定されるものではない。
【００３４】
袋本体１の横方向の両端には、次に説明する折り込みなどを施した上で上下方向に溶着されて溶着線１０１が設けられている。袋本体１の下側（底側）には、シートを内側に折り込んで下部折り込み部１４が形成されており、折り込みによって重なって二箇所に形成された二枚重ね部分は、その横方向両端部において、溶着線１０１から斜めに溶着され溶着線１０３が設けられている。
【００３５】
溶着線１０３は、袋本体１を膨らませたときに正面から見て山形（逆ハ字形）となるよう斜めに溶着されている。この底部構造によって、袋本体１は、膨らませて使用する際には、底部が平坦になるいわゆる角底袋となる。なお、袋底部が角底状となるようにするための袋底部の構造は上記に限定されるものではなく、公知各種の構造が採用できる。
【００３６】
袋本体１の上側（開口部側）には、内部側へ折り込まれた上部折り込み部１０が開口部１１のほぼ全周にわたり所要幅で設けられている。上部折り込み部１０の内側には、同じく開口部１１のほぼ全周にわたり補強用シート１５が挟み込まれている。補強用シート１５は熱可塑性の合成樹脂製シートで形成され、上部折り込み部１０の折り込み幅とほぼ同じ幅に形成されており、袋本体１の他の部分に使用しているシートより厚く剛性が高いものが使用されている。
【００３７】
上部折り込み部１０及び補強用シート１５の下側端辺寄りには、それらのシートを三層で溶着した溶着線１０２が設けられている。溶着線１０２は、開口部１１の縁辺と平行に設けられ、後述する切除部１３近傍で分断されている。この構造により、袋本体１の開口部１１側の開口縁部１２は、補強用シート１５で補強されることによって、内側や外側に倒れたり変形したりしにくくなっており、保形性及び自立性を有している。
【００３８】
袋本体１の開口縁部１２の補強は、シートが二枚重ねになるように単に折り込んだだけでもその部分の剛性は高くなるので、作業性に問題がなければ必ずしも上部折り込み部１０に補強用シート１５を組み合わせる必要はない。さらには、上部折り込み部１０も設けずにシートが単層に形成されたものを採用することも可能である。なお、補強用シートとしては、上記合成樹脂製シートに限定するものではなく、例えば厚紙など他の素材を採用することもできる。
【００３９】
また、上部折り込み部１０及び補強用シート１５の溶着は、上記のように三層を溶着する構造に限定されるものではない。例えば、上部折り込み部１０の何れか一方側のシートと補強用シート１５を溶着するようにしてもよいし、補強用シート１５の幅を小さくして補強用シート１５を保持するように上部折り込み部１０の両シートのみを溶着するようにしてもよい。
【００４０】
上記把手２、２ａは、補強用シート１５で補強された上部折り込み部１０のうち、袋本体１を折り畳んだ状態での横方向の中間部に相対向して設けられている。把手２、２ａは、細長い長方形状のシートで形成され、その両端部が所要の間隔をおいて上部折り込み部１０及び補強用シート１５と共に四層で溶着され、開口縁部１２の内面側に溶着部２０により固定されている。把手２、２ａは、中間部分が内側または外側に裏返るよう捻ってある。なお、各把手２、２ａの両端部は開口縁部１２の外面側に固定してもよい。
【００４１】
把手２、２ａは、本実施の形態では材料として合成樹脂製シートを使用したが、これに限定されるものではなく、把手の形状に型成形されたプラスチック製のもの、紙（合成紙含む）、不織布、布、金属などが採用可能である。また、その取り付け構造（手段）も特に限定するものではなく、熱溶着の他、例えば接着、係合、ステープラなどによる固着などが採用可能である。さらには、上記のように把手として別体のものを取り付けるのではなく、袋本体１の開口縁部１２を所要形状に打ち抜くなどして把手の機能を有する孔や持ち手を設けてもよい。
【００４２】
上部折り込み部１０のうち、上記袋本体１の横方向の両端の溶着線１０１と重なる部分には、開口部１１が拡がりやすいように助ける手段を構成する切除部１３が設けられている。各切除部１３は、袋本体１を膨らませたときにＵ字形となるように形成されており、先端（下端）の中央部が溶着線１０１と重なるように位置している。なお、切除部１３の形成にあたっては、上部折り込み部１０の内側に挟み込まれている補強用シート１５も同じ形状に切除されている。
【００４３】
なお、本実施の形態では、各切除部１３の先端は、上記溶着線１０２よりやや高い位置に設定されているが、この位置は適宜設定が可能である。すなわち、この位置が下側へ下がる程（切り込みや切除部が下側へ大きくなる程）、袋本体１の開口部１１がより容易に、かつ大きく確実に拡がるようになる。
【００４４】
（作用）
図７は本発明に係る容器陳列構造体の一実施の形態を示す正面視説明図である。
容器陳列構造体Ｄは、上記した包装用袋Ｂを缶容器Ｃを収容して包装する袋として使用するものである。
本実施の形態に係る容器陳列構造体Ｄのセッティングの方法、手順及びその構造については、図１ないし図７を参照して包装用袋Ｂの作用の説明と共に説明する。
【００４５】
販売店で、例えば缶ビールの販売を行う際の容器陳列構造体Ｄのセッティングは次のように行われる。
まず、包装用袋Ｂの袋本体１を膨らませ、厚紙で長方形状に形成され四隅が円弧状に丸めて形成された底板３を袋本体１の内底部に敷く。そして、底板３の上に載せるように、６本のビールの缶容器Ｃを収容する。各缶容器Ｃは、角底袋状になった袋本体１の中にほぼ隙間なく整列して本質的にちょうど収まる（図５、図６参照）。各缶容器Ｃは、平坦な底板３に載せられていることにより安定して収まっている。
【００４６】
包装用袋Ｂの袋本体１に缶容器Ｃが上記のように収容された状態では、袋本体１の開口部１１の開口縁（縁辺部）は、開口部１１の全周にわたり各缶容器Ｃの上端からさらに高くなって立ち上がっている。本実施の形態では約３０ｍｍ高くなっているが、この高さは適宜調節して設定することができる。これにより、各缶容器Ｃの上面より上方には、袋本体１の開口縁部１２で囲まれ上部が開口した収容空間１９が形成されている。
【００４７】
上記のように包装用袋Ｂの袋本体１に缶容器Ｃが収容されて構成された包装構成体Ａが多数つくられる。そして、これら包装構成体Ａを縦横及び上下方向に配して容器陳列構造体Ｄをセッティングする。包装構成体Ａは、縦横方向へは、各包装構成体Ａが密に整列するように配置するが、多少離れても支障はない。また、包装構成体Ａは、上下方向へは、各包装構成体Ａを積み重ねるようにして配置する。
【００４８】
包装構成体Ａを積み重ねる際には、上側となる包装構成体Ａの下部は、下側となる包装構成体Ａの袋本体１の開口部１１に入れられる。このとき、下側となる包装構成体Ａの袋本体１の把手２、２ａは、袋本体１の中に入れるようにして容器陳列構造体Ｄの外観が見苦しくならないようにすると共に、例えば把手２、２ａに物が引っ掛かるなどして容器陳列構造体Ｄが崩れる原因となることがないようにする。
【００４９】
なお、把手２、２ａには、例えば折り癖や曲がり癖などを予め設けるなど、把手２、２ａが自然に袋本体１の内部側に入るようにする手段を備えるようにしてもよい。
これにより、各缶容器Ｃの上面より上方の袋本体１の開口縁部１２で囲まれた収容空間１９に収まる。このとき、上側の包装構成体Ａの底部外面に下側の包装構成体Ａの袋本体１の開口縁部１２内面が本質的に密接する。そして、この作業を包装構成体Ａが縦横及び上下方向に所要の数だけ多層または多重になるよう行うことにより容器陳列構造体Ｄが構成され、セッティングされる。
【００５０】
上記したように上側となる包装構成体Ａの下部を下側となる包装構成体Ａの袋本体１の開口部１１に入れる作業を行うときには、袋本体１の開口部１１は、開口縁部１２に切除部１３が設けられているため、開口部１１を容易に拡げることができ、この作業を容易に、かつ確実に行うことができる。
【００５１】
また、袋本体１の開口縁部１２が、上部折り込み部１０に補強用シート１５を挟み込んだ構造により剛性が高くなり、保形性すなわち自立性を有しているので、例えば開口縁部１２が内側に変形して開口部１１が狭くなってしまうことがなく、開口部１１すなわち開口縁部１２を拡げる操作もしやすい。これによって、上記積み重ねる作業をさらに容易に、かつ確実に行うことができる。
【００５２】
そして、袋本体１の開口部１１を拡げる際に、各切除部１３が拡がって先端にやや大きな引き裂くような力がかかっても、シートの溶着部でありかえって強度が向上している溶着線１０１から破れることはない。なお、仮に各切除部１３の形状をＶ字形にした場合は、その先端角部を溶着線１０１に位置させるようにすれば、先端角部が必然的に補強されることとなり、切除部１３の角部を起点とする破れが生じることを防止できる。
【００５３】
また、上側となる包装構成体Ａの下部が下側となる包装構成体Ａの袋本体１の開口部１１に入って収容空間１９に収まると、下側の包装構成体Ａの補強されて剛性または強度が上がった開口縁部１２内面が、上側の包装構成体Ａの下部外面にほぼ密接して囲み、ストッパーとしての機能性を十分に発揮する。これにより、上側の包装構成体Ａが収容空間１９内で動いたり横にずれたり、あるいは倒れたりしにくく安定し、容器陳列構造体Ｄが崩れることを防止することができる。この機能性は、上側の包装構成体Ａの下部外面に下側の包装構成体Ａの袋本体１の開口縁部１２内面が密接する密接性が高まるほど向上する。
【００５４】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００５５】
【図１】本発明に係る包装用袋の一実施の形態を示し折り畳んだ状態の正面図。
【図２】図１に示す包装用袋の側面図。
【図３】図１に示す包装用袋の縦断面図。
【図４】袋本体の開口縁部の拡大縦断面図。
【図５】本発明に係る包装用袋の一実施の形態を示し缶容器を収容した状態の斜視説明図。
【図６】包装用袋に缶容器を収容した状態の側面視説明図。
【図７】本発明に係る容器陳列構造体の一実施の形態を示す正面視説明図。
【符号の説明】
【００５６】
Ｄ  容器陳列構造体
Ａ  包装構成体
Ｂ  包装用袋
１  袋本体
１０  上部折り込み部
１１  開口部
１２  開口縁部
１３  切除部
１４  下部折り込み部
１５  補強用シート
１０１  溶着線
１０２  溶着線
１０３  溶着線
１９  収容空間
２、２ａ  把手
２０  溶着部
３  底板
Ｃ  缶容器
【図１】
2008001412.tif 000003
【図２】
2008001412.tif 000004
【図３】
2008001412.tif 000005
【図４】
2008001412.tif 000006
【図５】
2008001412.tif 000007
【図６】
2008001412.tif 000008
【図７】
2008001412.tif 000009